(57)【要約】【課題】例えば広告のような情報を付加した写真プリントのプリント費用を情報元が一部負担するが、所定の枚数より多いプリント依頼がないときは、プリントを禁止する。【解決手段】    情報を付加した写真プリントのプリント依頼が第１の所定枚数より少ない枚数ときにはプリントを禁止し、第２の所定枚数より多い枚数のときはプリント依頼者の希望に基づいてプリントを行い、プリント依頼枚数が第１の所定枚数と第２の所定枚数の間のときは、一部の画像に対して複数枚のプリントを行い、プリント総数を少なくとも第２の所定枚数にする。【選択図】  図１
2008108014.tif 000002
【特許請求の範囲】
【請求項１】
撮影された画像に情報を付加する情報付加装置において。プリント依頼枚数が所定枚数以下のときはプリントを行わない制御手段を備えた情報付加装置。
【請求項２】
撮影された画像に情報を付加する情報付加装置において、プリント依頼枚数が第１の所定枚数以下のときは、プリントを行わず、前記プリント依頼枚数が第１の所定枚数より大きく第２の所定枚数より少ない枚数のときは、前記画像の内、少なくとも一部の画像を複数枚にプリントして全プリント枚数を少なくとも第２の所定枚数の画像に前記情報を付加し、前記プリント依頼枚数が第２の所定枚数以上のときは前記プリント依頼枚数の画像にそのまま前記情報を付加する制御手段を備えた情報付加装置。
【請求項３】
撮影された写真を含む画像に情報を付加する情報付加方法で、プリント依頼枚数が第１の所定枚数以下のときは、プリントを禁止するステップと、前記プリント依頼枚数が第１の所定枚数より大きく第２の所定枚数より少ないときは、前記画像の少なくとも一部を複数枚にプリントして全プリント枚数を少なくとも第２の所定枚数にするステップと、プリント依頼枚数が第２の所定枚数以上のとき前記プリント依頼枚数の画像にそのまま前記情報を付加する情報付加方法。
【発明の詳細な説明】
【技術分野】
【０００１】
本発明は、写真を含む画像に広告等の情報を付加する装置及び撮影者乃至は写真を観察する観察者と広告主の双方に利する情報付加方法、情報付き画像に関し、特に広告主等の情報元からの広告等の情報を大量に出回る写真を含む画像に付加し、更に、写真のプリント及び画像の処理に関する費用を広告主等の情報元が少なくとも一部を負担するようにした情報付加装置、情報付加方法に関する。
【背景技術】
【０００２】
従来、撮影画像に広告を付加してプリント代を広告主が負担し、広告主からみれば本当に広告が付加されたかどうか心配である。そこで広告が真に付加された枚数をカウントする発明が公開されている(例えば、特許文献１)
【０００３】
【特許文献１】特開２００１―２８０７８
【発明の開示】
【発明が解決しようとする課題】
【０００４】
上述の特許文献１では、広告が真に付加された数をカウントする発明がなされているが、上記発明で広告主は疑いなく広告が写真に付加されたことを信用することができる。しかしながら、広告というものは数多く出て多くの人に知られることが必要である。少ない数の広告では、多くの人に目にすることが少ないので広告料を負担した効果は少ない。またこのような写真に広告等の情報を付加してプリント代を広告主等の情報元に負担するという新しいビジネスはこのような写真が出回らなければ人の目にも触れず廃れていくものである。
【０００５】
本発明は、このような従来の問題を解決しようとするものであり、広告等の情報付の写真が多く提供される装置を提供するものである。
【課題を解決するための手段】
【０００６】
請求項１は、撮影された写真を含む画像に情報を付加する情報付加装置で、プリント依頼枚数が所定枚数以下のときは、プリントを禁止するもので、請求項２は撮影された写真を含む画像に情報を付加する情報付加装置で、プリント依頼枚数が第１の所定枚数以下のときは、プリントを行わず、前記プリント依頼枚数が第１の所定枚数より大きく第２の所定枚数より少ない枚数のときは、前記画像の内、少なくとも一部の画像を複数枚にプリントして全プリント枚数を少なくとも第２の所定枚数の画像に前記情報を付加し、前記プリント依頼枚数が第２の所定枚数以上のときは前記プリント依頼枚数の画像にそのまま前記情報を付加する制御手段を備えた情報付加装置を提供することにある。
【０００７】
請求項３は、撮影された写真を含む画像に情報を付加する情報付加方法で、プリント依頼枚数が第１の所定枚数以下のときは、プリントを禁止するステップと、前記プリント依頼枚数が第１の所定枚数より大きく第２の所定枚数より少ない第３の所定枚数のときは、前記画像の少なくとも一部を複数枚にプリントして全プリント枚数を第３の所定枚数にするステップと、プリント依頼枚数を第２の所定枚数以上のとき前記プリント依頼枚数の画像にそのまま前記情報を付加する情報付加方法を提供することにある。
【発明の効果】
【０００８】
上述したように本発明により広告主等の情報元がプリント依頼者のプリント代金を補助してプリント依頼者に好都合で、またプリント枚数が増えることでプリントの目に触れる機会が多くなり広告主等の情報元にも好都合となる。また、プリント代金の他、管理費の面でも全体的にプリント枚数が少ないと１枚あたりの管理費が高くなる。
【発明を実施するための最良の形態】
【０００９】
図１は、本発明の情報付加装置の概略構成を示すブロック図である。１は画像サーバー、２は情報サーバー、３は制御装置を示し、４は情報と画像を合成する合成システムを示し、５は合成システム４で合成された画像と情報とをプリントするプリントシステムを示す。
制御装置３には不図示の枚数をカウントするカウンタを有する。
【００１０】
図２は、本発明の情報付加装置の制御装置３の作動を示すフローチャートである。まずＳ１で示すようにプリント依頼をプリント依頼者より受け付け、Ｓ２で示すようにプリント依頼者が求めるプリント枚数をＮ枚とする。Ｎ枚の数がＮ１枚以下の枚数のときはプリントを禁止し、Ｎ２枚以上の枚数のときはプリント依頼者の希望通りにプリントを行う。また、Ｎ枚がＮ２枚より少なく、Ｎ１枚よりも多いときにはプリント依頼者のＮ枚の写真の一部の枚数を複数枚プリントして全プリント枚数をＮ２枚にする。
【００１１】
例えば、広告付きの写真のプリント枚数を１５枚以下の依頼があったときは、プリントを行わず、３０枚以上ではプリント依頼者の求めに応じてプリントを行う。また、プリント枚数が１６枚から２９枚の間で例えば２０枚のときは１０枚について２枚ずつプリントを行う。
【００１２】
最近のカメラは失敗のないカメラであり、今後もカメラの発展により写りのよい写真が手軽に撮れるようになっている。そこでこのようなよい写真はコミュニケーションの道具となり、同じ駒を例え自分が写っていなくても写真をもらったりプレゼントしたりするような時代になってきている。
【００１３】
そこで同じ駒の写真を複数枚のプリントして家族、友人等にプレゼントするようになっているので本発明によるプリント依頼枚数が少ない場合は同じプリントを作っても別に違和感が生じなくなっているし、プリント代を負担する例えば広告主からみても多くのプリントが出回ることはその広告が知られることで広告の効果がある。
【図面の簡単な説明】
【００１４】
【図１】本発明に係る情報付加装置のブロック図を示す。
【図２】本発明に係る情報付加装置の制御装置に関するフローチャートを示す。
【符号の説明】
【００１５】
１ …画像サーバー
２ …情報サーバー
３ …制御システム
４ …合成システム
５ …プリントシステム
【図１】
2008108014.tif 000003
【図２】
2008108014.tif 000004